(57)【要約】【課題】通常の使用時において、放送ダウンロードが実行される以前に、映像機器に搭載された各種ソフトウェアに対する更新プログラムの有無を容易に確認することができ、また上述の各種ソフトウェアの更新が完全に行われたか否かに関しても容易に確認することが出来る映像機器を提供する。【解決手段】制御部１１によって、一時記憶部１４に記憶された更新プログラムのバージョン情報と記憶部１５に記憶された液晶テレビ１００のファームウェアのバージョン情報とを照合させ、照合の結果、更新プログラムのバージョン情報と液晶テレビ１００のファームウェアのバージョン情報とが一致する場合と、一致しない場合とで、環境設定部１６に設定された表示設定に基づき、映像表示部１７におけるメニュー表示やチャンネル表示の色等の変更を行う。【選択図】図１
2009089079.tif 000002
【特許請求の範囲】
【請求項１】
機器の各部を統括して制御する制御部と、
デジタル放送の放送信号を受信し、受信した前記放送信号の復調を行うデジタル放送受信部と、
前記機器の設定を行う環境設定部と、
前記環境設定部に設定内容を入力するための入力部とを備え、
前記機器に搭載された各種ソフトウェアの更新プログラムおよび更新プログラムに係る更新情報を、前記放送信号を介して前記デジタル放送受信部にて受信する映像機器において、
前記更新プログラムおよび前記更新情報を記憶する一時記憶部と、
前記映像機器に搭載された前記各種ソフトウェアのバージョン情報を記憶する記憶部とを設け、
前記環境設定部にて、前記更新プログラムが有る場合と無い場合とで異なる環境設定を行い、
前記制御部にて、前記一時記憶部に記憶された前記更新情報に含まれる前記更新プログラムのバージョン情報と、前記記憶部に記憶された更新対象のソフトウェアのバージョン情報とを照合し、
照合の結果、前記更新プログラムのバージョン情報と前記更新対象のソフトウェアのバージョン情報とが一致する場合は、前記更新プログラムが無い場合の環境設定に基づいた変更を行い、一致しない場合は、前記更新プログラムが有る場合の環境設定に基づいた変更を行うことを特徴とする映像機器。
【請求項２】
請求項１に記載の映像機器において、
前記環境設定部にて行う環境設定は、前記更新プログラムが有る場合と無い場合とで、異なる画面表示が行われる表示設定であることを特徴とする映像機器。
【発明の詳細な説明】
【技術分野】
【０００１】
本発明は、搭載された各種ソフトウェアの更新プログラムが有る場合と無い場合とで、異なる環境設定を行う映像機器に関する。
【背景技術】
【０００２】
近年のデジタル技術の発達により、放送の分野においてもデジタル化が進み、地上波デジタルテレビジョン放送／ＢＳ（Broadcasting Satellite）デジタル放送／ＣＳ（Communications Satellite）デジタル放送などが実用化されている。
これらのデジタル放送を受信するためのデジタル放送受信機を備えた映像機器の一例としては、テレビ受像機やＤＶＤ（Digital Versatile Disk）レコーダ、ＳＴＢ（Set Top Box）などが挙げられ、各映像機器にはＯＳ（Operating System）を始め膨大で複合的なソフトウェアが搭載されている。
【０００３】
デジタル放送では、新しい放送サービスの開始やサービスの高度化が逐次進むことが想定されるため、コンピュータのソフトウェアと同様、映像機器に搭載された各種ソフトウェアに対して更新を図り、機能の改善や追加を行うことで、映像機器を対応させていく必要がある。
このため、映像機器を製造しているメーカー各社は、上述した各種ソフトウェアの機能の改善や追加を図る更新プログラムを配布する必要があり、現在、この更新プログラムは、放送ダウンロードという形式で、デジタル放送の電波を介してデジタル放送受信機を備えた各映像機器へ配信されている。
この放送ダウンロードは、映像機器本体の電源が切られている場合や、ユーザーが視聴している場合、録画予約が実行されている場合などにおいては実行されず、リモートコントロール装置によって電源を切られた状態（スタンバイモード）でのみ実行される。
また、この放送ダウンロードは、ユーザーによる映像機器の使用頻度が極めて少ない深夜から早朝にかけての時間帯に行われることが多い。
【０００４】
放送ダウンロードが実行される際は、まず、放送ダウンロードを予告する予告情報（配信時間、更新プログラムのバージョン情報など）がメーカー各社のホームページなどにより事前に掲載されるとともに、放送ダウンロードの実行予定時刻の数時間前に同予告情報がデジタル放送の電波を介して各映像機器に配信される。
本来ならば、この予告情報を基に、ユーザーがリモートコントロール装置を用いて映像機器の電源を切り、放送ダウンロードに備えなければならないが、通常の使用時においては、この予告情報を得ることが容易でないため、到来する放送ダウンロードに備えることが出来ない。
また、保有する映像機器のソフトウェアの状態が最新のものであるか否かの確認に関しても、ユーザー自身が映像機器を操作することによって得られたソフトウェアのバージョン情報と上述の予告情報に含まれる更新プログラムのバージョン情報を照合することによってのみ判断することが出来るため、ユーザーにとって簡便な方法とは言い難い。
【０００５】
デジタル放送の電波を介して配信された更新プログラムを受信し、設定することによって搭載されたソフトウェアの更新を行う映像機器としては、下記特許文献１の車両用放送受信機があり、この車両用放送受信機では、ユーザーが予め設定した条件を満たす場合においてのみ、更新プログラムが受信され、搭載されたソフトウェアの更新が行われる。
【０００６】
【特許文献１】特開２００６−０２０２２７号公報
【発明の開示】
【発明が解決しようとする課題】
【０００７】
特許文献１に記載の車両用放送受信機では、ユーザーは通常の使用時においては、更新プログラムが配信され、かつ更新の準備が整う迄、更新プログラムの有無を事前に確認することが出来ない。このため、搭載されたソフトウェアの更新に際して、事前に受信機の電源をリモートコントロール装置にて切る等の適切な対応を行うことが出来ず、更新を速やかに行うことが出来ない。
【０００８】
また、更新プログラムによるソフトウェアの更新が完了したか否かは、更新完了時に表示される「更新終了画面」の確認を行ったユーザー、または、ホームページなどに掲載されている各種ソフトウェアの最新バージョン情報と受信機に搭載された各種ソフトウェアのバージョン情報とを照合したユーザーのみが知り得る。このため、通常の使用時において、更新プログラムによる各種ソフトウェアの更新が適正になされたか否かを容易に確認することが出来ない。
【０００９】
よって、本発明の目的は、通常の使用時において、放送ダウンロードが実行される以前に、映像機器に搭載された各種ソフトウェアに対する更新プログラムの有無を容易に確認することができ、また上述の各種ソフトウェアの更新が完全に行われたか否かに関しても容易に確認することが出来る映像機器を提供することである。
【課題を解決するための手段】
【００１０】
本発明に係る映像機器は、機器の各部を統括して制御する制御部と、デジタル放送の放送信号を受信し、受信した放送信号の復調を行うデジタル放送受信部と、機器の設定を行う環境設定部と、環境設定部に設定内容を入力するための入力部とを備えており、機器に搭載された各種ソフトウェアの更新プログラムおよび更新プログラムに係る更新情報を、放送信号を介してデジタル放送受信部にて受信する。
また、更新プログラムおよび更新情報を記憶する一時記憶部と、映像機器に搭載された各種ソフトウェアのバージョン情報を記憶する記憶部とを設け、環境設定部にて、更新プログラムが有る場合と無い場合とで異なる環境設定を行う。
そして、制御部にて、一時記憶部に記憶された更新情報に含まれる更新プログラムのバージョン情報と、記憶部に記憶された更新対象のソフトウェアのバージョン情報とを照合し、照合の結果、更新プログラムのバージョン情報と更新対象のソフトウェアのバージョン情報とが一致する場合は、更新プログラムが無い場合の環境設定に基づいた変更を行い、一致しない場合は、更新プログラムが有る場合の環境設定に基づいた変更を行う。
【００１１】
このようにすることで、映像機器に搭載された各種ソフトウェアの中に更新が必要とされるソフトウェアが有る場合、更新が必要でない場合とは異なる環境設定を行うため、機器環境の差異により、ユーザーは更新プログラムの有無を容易に確認することが出来る。
【００１２】
本発明の映像機器において、環境設定部にて行う環境設定は、例えば、更新プログラムが有る場合と無い場合とで、異なる画面表示が行われる表示設定である。
【００１３】
このようにすることで、映像機器本体の操作を行う際に高い頻度で表示される画面表示を更新プログラムの有無の確認手段として用いることが出来るため、画面表示の差異により、ユーザーは更新プログラムの有無を容易かつ頻繁に確認することが出来る。
【発明の効果】
【００１４】
本発明によれば、更新プログラムのバージョン情報と更新対象のソフトウェアのバージョン情報とが一致する場合は、更新プログラムが無い場合の環境設定に基づいた変更を行い、一致しない場合は、更新プログラムが有る場合の環境設定に基づいた変更を行うため、放送ダウンロードが実行される以前に、映像機器に搭載された各種ソフトウェアに対する更新プログラムの有無を容易に確認することができ、また上述の各種ソフトウェアの更新が完全に行われたか否かに関しても容易に確認することが出来る。
【発明を実施するための最良の形態】
【００１５】
以下、本発明の実施形態につき、図面を参照しながら説明する。
【００１６】
図１は、本発明の実施形態である液晶テレビ１００のブロック図である。
図中の制御部１１はＣＰＵ（Central  Processing  Unit）から成り、液晶テレビ１００の各部を統括して制御する。１２はデジタル放送の電波を受信するアンテナである。デジタル放送受信部１３はデジタル放送受信機から成り、アンテナ１２で受信した電波に含まれる放送信号を受信する。
ここで、デジタル放送受信部１３で受信する放送信号は、図２に示すＴＳ（Transport Stream）信号２１であり、このＴＳ信号２１は、複数のトランスポートパケット（以下、ＴＳパケットと略す）２２により構成され、各ＴＳパケット２２には映像ストリーム２３、音声ストリーム２４、データストリーム２５の個別のストリームがそれぞれ含まれている。
【００１７】
図２に示す映像ストリーム２３は、パケットヘッダ２６と映像情報２７から構成されており、パケットヘッダ２６には、各ＴＳパケット２２の種類を表すパケット識別子（図示省略）が含まれている。以下同様にして、音声ストリーム２４はパケットヘッダ２６と音声情報２８から構成され、データストリーム２５はパケットヘッダ２６とデータ情報２９から構成されている。
また、データ情報２９には、多種多様なデータ３０が含まれている。データ３０の一例として、放送ダウンロードの実行日時や更新プログラムのバージョン情報などが含まれた予告情報、放送ダウンロード時に配信される更新プログラムなどが挙げられる。
【００１８】
図１に示すデジタル放送受信部１３で受信されたＴＳ信号２１（図２）に含まれる映像ストリーム２３（図２）は、デジタル放送受信部１３にて復調された後、制御部１１を介し、映像信号としてＬＣＤ（Liquid Crystal Display）から成る映像表示部１７へ出力される。これにより、映像表示部１７において映像が表示される。
また、デジタル放送受信部１３で受信されたＴＳ信号２１（図２）に含まれる音声ストリーム２４（図２）は、デジタル放送受信部１３にて復調された後、制御部１１を介し、音声信号としてスピーカから成る音声出力部１８へ出力される。これにより、音声出力部１８において音声が出力される。
【００１９】
一方、デジタル放送受信部１３で受信されたＴＳ信号２１（図２）に含まれるデータストリーム２５（図２）は、データ信号として制御部１１に出力された後、制御部１１によってデータの内容に応じた処理が実行される。
以下、制御部１１によって処理されるデータのうち、上述の予告情報および更新プログラムに対する処理内容に関して説明を行うものとする。尚、その他の内容のデータに対する処理内容に関しては、本発明には関係しないため、説明を省略する。
【００２０】
デジタル放送受信部１３から制御部１１に出力された予告情報は、例えば図４の３３に示すようなデータであり、制御部１１を介してＲＡＭ（Random Access Memory）等から成る一時記憶部１４に記憶される。
また、放送ダウンロードの実行時において、デジタル放送受信部１３で受信され、制御部１１に出力された更新プログラムは、予告情報３３と同様、制御部１１を介して一時記憶部１４に記憶される。
【００２１】
記憶部１５はフラッシュメモリ等から成り、液晶テレビ１００に搭載された各種ソフトウェアのバージョン情報などが記憶されている。ここで、記憶部１５に記憶されている各種ソフトウェアバージョン情報は、例えば図３の３１に示すようなデータである。
【００２２】
環境設定部１６では、画面表示設定や受信するチャンネルの設定、液晶テレビ１００に内蔵された時計の設定など、液晶テレビ１００の環境に関する様々な設定が行われる。これらの設定は、リモートコントロール装置（図示省略）からの信号を受信する受光部（図示省略）や液晶テレビ１００のフロントパネル（図示省略）などに設けられたボタン操作部（図示省略）から成る入力部１９に入力された操作コマンドに基づいて行われる。
【００２３】
図５は、本発明に係る更新プログラムの有無の確認方法を示したフローチャートである。本フローチャートでは、液晶テレビ１００に搭載されたソフトウェアのうち、ファームウェアに関して説明を行うものとする。
【００２４】
ステップＳ１では、図１に示す入力部１９に対して、液晶テレビ１００の環境設定を行うための操作コマンドが入力され、入力部１９に入力された操作コマンドに基づいて、環境設定部１６にて環境設定が行われる。
以下、環境設定部１６にて行われる設定のうち、上述したファームウェアの更新プログラムの有無を容易に確認するための設定方法に関して説明を行うものとする。尚、その他の設定方法に関しては、本発明には関係しないため、説明を省略する。
ここで、上述した環境設定とは、更新プログラムが有る場合と無い場合とで、異なる画面表示（メニュー表示やチャンネル表示など）を行う表示設定のことを指す。
【００２５】
ステップＳ２では、デジタル放送受信部１３にて、放送ダウンロードの実行日時や更新プログラムのバージョン情報などが含まれた予告情報３３（図４）を含んだＴＳ信号２１（図２）が受信される。
【００２６】
ステップＳ３では、ステップＳ２で受信したＴＳ信号２１に含まれる予告情報３３が一時記憶部１４に記憶される。
【００２７】
ステップＳ４では、制御部１１によって、一時記憶部１４に記憶された予告情報３３の１つである更新プログラムのバージョン情報（図４中の３４）と、記憶部１５に記憶された液晶テレビ１００のファームウェアのバージョン情報（図３中の３２）とが照合される。
【００２８】
ステップＳ５では、ステップＳ４での照合の結果、更新プログラムのバージョン情報３４と液晶テレビ１００のファームウェアのバージョン情報３２とが一致した場合は（ステップＳ５：ＹＥＳ）、現状の表示設定を維持し、本フローチャートを終了させる。一致しない場合は（ステップＳ５：ＮＯ）、ステップＳ６へ進む。
【００２９】
ステップＳ６では、ステップＳ５での結果を受けて、図１に示す環境設定部１６に予め設定された表示設定に基づいて、メニュー表示やチャンネル表示の表示方法を変更する。環境設定部１６に予め設定された表示設定の詳細および変更後の表示状態については、図６〜図９を例に挙げて説明する。
【００３０】
図６は、上述した表示設定の詳細を示したものであり、図中の５１および５２は、表示設定に関する各項目である。項目５１は表示方法に関する項目、項目５２は更新プログラムの有無に関する項目である。
図６に示す表示設定の場合、変更後のメニュー表示は図７に示す状態となり、例えば、図７中のメニュー画面５４の背景色５５は、図６中の設定内容５３に基づき、青色から赤色に変更される。
【００３１】
また、図８は図６とは異なる表示設定の詳細を示したものである。図８では図６と同一部分または対応する部分に同一符号を付してある。
図８に示す表示設定の場合、変更後のチャンネル表示は図９に示す状態となり、例えば、図９中のチャンネル番号５８の色５９は、図８中の設定内容５６に基づき、青色から赤色に変更される。また、チャンネル番号５８の表示状態は、図８中の設定内容５７に基づき、定常状態から６０のような点滅状態に変更される。
【００３２】
ステップＳ７では、放送ダウンロードの日時が到来することによって、更新プログラムによるファームウェアの更新が開始される。
【００３３】
ステップＳ８では、ステップＳ７での更新が完全に実行されたか否かが検証され、更新プログラムのバージョン情報（図４中の３４）と液晶テレビ１００のファームウェアのバージョン情報（図３中の３２）とが一致した場合は（ステップＳ８：ＹＥＳ）、更新が完全に実行されたと判断して、ステップＳ９へ進み、一致しない場合は（ステップＳ８：ＮＯ）、更新が完全に実行されなかったと判断して、ステップＳ６で変更された表示設定を維持したまま本フローチャートを終了させ、次回の放送ダウンロードに備える。
【００３４】
ステップＳ９では、ステップＳ６の結果を受け、ステップＳ６で変更された表示設定から変更前の表示設定に復帰させる。
例えば、図７中のメニュー画面５４の背景色５５は、図６中の設定内容５３に基づき、赤色から青色に変更され、図９中のチャンネル番号５８の色５９は、図８中の設定内容５６に基づき、赤色から青色に変更される。また、図９中のチャンネル番号５８の表示状態は、図８中の設定内容５７に基づき、点滅状態から定常状態に変更される。
【００３５】
このように、上述した実施形態においては、制御部１１によって、一時記憶部１４に記憶された予告情報３３の１つである更新プログラムのバージョン情報（図４中の３４）と記憶部１５に記憶された液晶テレビ１００のファームウェアのバージョン情報（図３中の３２）とを照合させ、照合の結果、更新プログラムのバージョン情報と液晶テレビ１００のファームウェアのバージョン情報とが一致する場合と、一致しない場合とで、環境設定部１６に設定された表示設定（図６または図８）に基づき、画面表示（メニュー表示やチャンネル表示）の変更を行う。
これにより、ユーザーは、放送ダウンロードが近々実行予定である、または放送ダウンロードで受信した更新プログラムによるファームウェアの更新が完全に実行されたか否かを容易に確認することが出来る。
また、変更された表示設定は、放送ダウンロードで受信した更新プログラムによるファームウェアの更新が完全に実行されることによって、変更前の表示設定に復帰するため、ユーザーは、更新プログラムによるファームウェアの更新が完全に実行されたことを容易に確認することも出来る。
【００３６】
本発明では、以上述べた以外にも種々の実施形態を採用することが出来る。例えば、上記実施形態では、変更設定対象の画面表示として、メニュー表示やチャンネル表示を挙げたが、音量を調整する際に表示される音量表示などを変更設定の対象としてもよい。
【００３７】
また、本発明の実施形態では、更新プログラムの有無を容易に確認するための方法について、液晶テレビ１００に搭載されたファームウェアのみ説明を行ったが、その他のソフトウェアについても同様である。
【００３８】
また、本発明の実施形態では、表示設定の一例として、図６および図８の設定内容を挙げたが、ユーザーの好みにより、項目５１に対する項目５２の内容を項目毎に変更させてもよい。例えば、図６中の５３や図８中の５６に示した赤や青以外の色を設定してもよい。また、更新プログラムの有無によって、表示させる文字の大きさを変更させる設定や、更新プログラムが無い場合は「ＭＳゴシック」とし、更新プログラムが有る場合は「ＭＳ明朝」とするなど、文字のタイプを変更させる設定を行ってもよい。
【００３９】
また、本発明の実施形態では、デジタル放送受信部１３にて復調された映像信号の出力先である映像表示部１７をＬＣＤとし、映像機器を液晶テレビ１００としたが、映像表示部１７にＰＤＰ（Plasma Display Panel）を採用し、映像機器をプラズマテレビとしてもよい。
【００４０】
さらに、本発明の実施形態では、ＬＣＤから成る映像表示部１７および音声出力部１８を備えた液晶テレビ１００を例に挙げたが、映像表示部１７および音声出力部１８を廃し、ＤＶＤ（Digital Versatile Disk）の記録再生を行うＤＶＤドライブを備えたＤＶＤレコーダとしてもよい。
【図面の簡単な説明】
【００４１】
【図１】本発明の実施形態である液晶テレビのブロック図である。
【図２】アンテナを介して受信した電波に含まれる放送信号の詳細を示した図である。
【図３】液晶テレビに搭載された各種ソフトウェアのバージョン情報の一例を示した図である。
【図４】放送ダウンロードに係る予告情報の一例を示した図である。
【図５】本発明に係る更新プログラムの有無確認方法を示したフローチャートである。
【図６】表示設定の詳細を示した図である。
【図７】表示設定の内容に基づく、変更後の表示状態を示した図である。
【図８】表示設定の詳細を示した図である。
【図９】表示設定の内容に基づく、変更後の表示状態を示した図である。
【符号の説明】
【００４２】
１１    制御部
１３    デジタル放送受信部
１４    一時記憶部
１５    記憶部
１６    環境設定部
１９    入力部
３１    バージョン情報
３３    予告情報
５４    メニュー画面
５８    チャンネル番号
１００  液晶テレビ
【図１】
2009089079.tif 000003
【図２】
2009089079.tif 000004
【図３】
2009089079.tif 000005
【図４】
2009089079.tif 000006
【図５】
2009089079.tif 000007
【図６】
2009089079.tif 000008
【図７】
2009089079.tif 000009
【図８】
2009089079.tif 000010
【図９】
2009089079.tif 000011